【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
ＬＣＤパネル中の高速な動きによるノイズを低減する方法であって、
第１フレームレートにおいて入力ビデオストリームを受け取り、
前記第１フレームレートより短い第２フレームレートを有するビデオストリームである第２ビデオストリームに前記入力ビデオストリームをダウンサンプリングし、
前記ダウンサンプリングされた第２ビデオストリームを前記第１のフレームレートで、出力ビデオストリームにアップサンプリングし
前記出力ビデオストリーム内の画素要素に、前記画素要素が第１画素値から所定の第２画素値へ、前記第２フレームレートと適合する期間内で遷移するよう電圧を供給する
方法。
【請求項２】
請求項１に記載の方法であって、
前記入力ビデオストリームが、高速な動きによる表示ノイズの影響を受けやすいかどうかを決定し、
前記入力ビデオストリームが高速な動きによる表示ノイズの影響を受けやすくはないと決定されるとき、前記ビデオストリームを前記ＬＣＤパネルに直接に送る
方法。
【請求項３】
請求項２に記載の方法であって、前記入力ビデオストリームは、多くのビデオフレームから形成される方法。
【請求項４】
請求項３に記載の方法であって、前記ダウンサンプリングは、
前記第２ビデオストリームを形成するために、前記ビデオフレーム群のうちの選択されたものを間引く
方法。
【請求項５】
請求項４に記載の方法であって、更に、
前記残りのビデオフレームのコピーをメモリデバイス中に記憶する
処理を含む方法。
【請求項６】
請求項４に記載の方法であって、前記アップサンプリングは、
前記記憶されたビデオフレームを前記メモリデバイスから取り出し、
前記取り出されたビデオフレームを、前記出力ビデオストリームを形成するのに適切な前記第２ビデオストリームの場所に戻して挿入する
処理を含む方法。
【請求項７】
請求項４に記載の方法であって、前記アップサンプリングは、
前記残りのビデオフレームのうちの選択されたものに基づいて補間されたビデオフレームを作成し、
前記補間されたビデオフレームを、前記出力ビデオストリームを形成するのに適切な前記第２ビデオストリームの場所に戻して挿入する
処理を含む方法。
【請求項８】
ＬＣＤパネル中の高速な動きによるノイズを低減するコンピュータプログラム製造物であって、
第１フレームレートにおいて入力ビデオストリームを受け取るコンピュータコード、
前記第１のフレームレートより短い第２フレームレートを有するビデオストリームである第２ビデオストリームに前記ビデオストリームをダウンサンプリングするコンピュータコード、
前記ダウンサンプリングされた第２ビデオストリームを前記第１のフレームレートで、出力ビデオストリームにアップサンプリングするコンピュータコード、
前記出力ビデオストリーム内の画素要素に、前記画素要素が第１画素値から所定の第２画素値へ前記第２フレームレートと適合する期間内で遷移するよう電圧を供給するコンピュータコード、および
前記コンピュータコードを記録するコンピュータで読み取り可能な媒体
を備えるコンピュータプログラム製造物。
【請求項９】
請求項８に記載のコンピュータプログラム製造物であって、更に、
前記入力ビデオストリームが、高速な動きによる表示ノイズの影響を受けやすいかどうかを決定するコンピュータコード、および
前記入力ビデオストリームが高速な動きによる表示ノイズの影響を受けやすくはないと決定されるとき、前記入力ビデオストリームを前記ＬＣＤパネルに直接に送るコンピュータコード
を備えるコンピュータプログラム製造物。
【請求項１０】
請求項９に記載のコンピュータプログラム製造物であって、前記入力ビデオストリームは、多くのビデオフレームから形成されるコンピュータプログラム製造物。
【請求項１１】
請求項１０に記載のコンピュータプログラム製造物であって、前記ダウンサンプリングするコンピュータコードは、
前記第２ビデオストリームを形成するために、前記ビデオフレーム群のうちの選択されたものを間引くコンピュータコード
を備えるコンピュータプログラム製造物。
【請求項１２】
請求項１１に記載のコンピュータプログラム製造物であって、
前記残りのビデオフレームのコピーをメモリデバイス中に記憶するコンピュータコード
をさらに備えるコンピュータプログラム製造物。
【請求項１３】
請求項１１に記載のコンピュータプログラム製造物であって、前記アップサンプリングするコンピュータコードは、
前記記憶されたビデオフレームを前記メモリデバイスから取り出すコンピュータコード、および
前記取り出されたビデオフレームを、前記出力ビデオストリームを形成するのに適切な前記第２ビデオストリームの場所に戻して挿入するコンピュータコード
を備えるコンピュータプログラム製造物。
【請求項１４】
請求項１１に記載のコンピュータプログラム製造物であって、前記アップサンプリングするコンピュータコードは、
前記残りのビデオフレームのうちの選択されたものに基づいて補間されたビデオフレームを作るコンピュータコード、および
前記補間されたビデオフレームを、前記出力ビデオストリームを形成するのに適切な前記第２ビデオストリームの場所に戻して挿入するコンピュータコード
を備えるコンピュータプログラム製造物。
【請求項１５】
ＬＣＤパネル中の高速な動きによるノイズを低減するシステムであって、
第１フレームレートにおいて入力ビデオストリームを受け取るよう構成されるインタフェース、
前記入力ビデオストリームを第１フレームレートより遅い第２フレームレートのビデオストリームである第２ビデオストリームにダウンサンプリングするよう構成されるダウンサンプリングユニット、
前記ダウンサンプリングユニットに結合され、前記ダウンサンプリングされたビデオストリームを第１フレームレートで出力ビデオストリームにアップサンプリングするよう構成されるアップサンプリングユニット、および
画素要素に、前記画素要素が第１画素値から所定の第２画素値へ前記第２フレームレートと適合する期間内で遷移するよう電圧を供給するよう構成される前記ＬＣＤパネルおよび前記アップサンプリングユニットに結合されるディスプレイコントローラユニット
を備えるシステム。
【請求項１６】
請求項１５に記載のシステムであって、更に、
前記入力ビデオストリームが高速な動きによる表示ノイズの影響を受けやすくはないと決定されるとき、前記ビデオストリームを前記ＬＣＤパネルに直接に送るよう構成されるビデオバイパススイッチ
を備えるシステム。
【請求項１７】
請求項１５に記載のシステムであって、前記入力ビデオストリームは、多くのビデオフレームから形成されるシステム。
【請求項１８】
請求項１５に記載のシステムであって、前記ダウンサンプリングユニットは、
前記入力ビデオストリームから、前記ビデオフレーム群のうちの選択されたものを間引くことで、前記第２ビデオストリームを形成するよう構成されるビデオフレームドロッパ
を備えるシステム。
【請求項１９】
請求項１８に記載のシステムであって、更に、
前記残りのビデオフレームのコピーを記憶するメモリデバイス
を備えるシステム。
【請求項２０】
請求項１９に記載のシステムであって、前記アップサンプリングユニットは、
前記記憶されたビデオフレームを前記メモリデバイスから取り出し、前記取り出されたビデオフレームを、前記出力ビデオストリームを形成するのに適切な前記第２ビデオストリームの場所に戻して挿入するメモリコントローラ
を備えるシステム。
【請求項２１】
請求項１９に記載のシステムであって、前記アップサンプリングユニットは、
前記残りのビデオフレームのうちの選択されたものに基づいて補間されたビデオフレームを作り、前記補間されたビデオフレームを、前記出力ビデオストリームを形成するのに適切な前記第２ビデオストリームの場所に戻して挿入する補間器ユニット
を備えるシステム。